(57)【要約】      （修正有）【課題】１つのＳＩＭに複数の通信事業者の認証アプリケーションが格納されたＳＩＭを用いて同時待ち受け及び通信を実現する装置を提供する。【解決手段】第１の認証アプリケーション及び第２の認証アプリケーションを格納している一つのＳＩＭにアクセスするためのＳＩＭルータ装置であって、無線ベースバンド部と接続された第１の入力インターフェース及び第２の入力インターフェースと、第１の入力インターフェースと第１の認証アプリケーション及び第２の入力インターフェースと第２の認証アプリケーション、とを対応付けたマッピング情報を記憶し、マッピング情報に基づき、無線ベースバンド部から第１の入力インターフェースに受信した第１の命令はＳＩＭの第１の認証アプリケーションに、無線ベースバンド部から第２の入力インターフェースに受信した第２の命令はＳＩＭの第２の認証アプリケーションに、それぞれルーティングする。【選択図】図１
2020065147.tif 000002
【特許請求の範囲】
【請求項１】
第１の認証アプリケーション（１５１）及び第２の認証アプリケーション（１５２）を格納している一つのＳＩＭ（Subscriber Identity Module）（１５０）にアクセスするためのＳＩＭルータ装置（１００）であって、
無線通信を行う無線ベースバンド部（１２）と接続された第１の入力インターフェース（１０１）及び第２の入力インターフェース（１０２）と、
前記ＳＩＭから前記第１の認証アプリケーション及び前記第２の認証アプリケーションが挙げられている認証アプリケーションリスト（１５３）を取得し、前記第１の入力インターフェースと前記第１の認証アプリケーション、及び前記第２の入力インターフェースと前記第２の認証アプリケーション、とを対応付けたマッピング情報を記憶するマッピング情報記憶部（１０３）と、
前記マッピング情報に基づき、前記無線ベースバンド部から前記第１の入力インターフェースに受信した第１の命令は前記ＳＩＭの前記第１の認証アプリケーションに、前記無線ベースバンド部から前記第２の入力インターフェースに受信した第２の命令は前記ＳＩＭの前記第２の認証アプリケーションに、それぞれルーティングする制御部（１０４）と、
を有するＳＩＭルータ装置（１００）。
【請求項２】
前記制御部は、
前記第１の命令を前記第１の認証アプリケーションにルーティングした場合、前記第１の命令に対する応答を前記ＳＩＭから受信した後に、前記第２の命令を前記第２の認証アプリケーションにルーティングする、
請求項１に記載のＳＩＭルータ装置。
【請求項３】
前記マッピング情報には、さらに出力インターフェースの出力論理チャネルが対応付けられている、
請求項１に記載のＳＩＭルータ装置。
【請求項４】
前記マッピング情報には、さらに前記第１の入力インターフェース及び前記第２の入力インターフェースの入力論理チャネルが対応付けられている、
請求項１又は３に記載のＳＩＭルータ装置。
【請求項５】
前記マッピング情報には、さらにＥＦ ＤＩＲ選択状態のフラグ情報が対応付けられている、
請求項１、３又は４に記載のＳＩＭルータ装置。
【請求項６】
第１の認証アプリケーション（１５１）及び第２の認証アプリケーション（１５２）を格納している一つのＳＩＭ（Subscriber Identity Module）（１５０）にアクセスするためのＳＩＭルータ装置（１００）を有する通信端末装置（１０）であって、
高周波信号を受信するアンテナ（１１）と、
前記アンテナで受信した高周波信号をベースバンド信号に変換する無線ベースバンド部（１２）と、
前記ベースバンド信号から生成された第１の命令及び第２の命令を前記無線ベースバンド部から受信するＳＩＭルータ装置（１００）と、を有し、
前記ＳＩＭルータ装置は、
無線通信を行う前記無線ベースバンド部と接続された第１の入力インターフェース（１０１）及び第２の入力インターフェース（１０２）と、
前記ＳＩＭから前記第１の認証アプリケーション及び前記第２の認証アプリケーションが挙げられている認証アプリケーションリスト（１５３）を取得し、前記第１の入力インターフェースと前記第１の認証アプリケーション、及び前記第２の入力インターフェースと前記第２の認証アプリケーション、とを対応付けたマッピング情報を記憶するマッピング情報記憶部（１０３）と、
前記マッピング情報に基づき、前記無線ベースバンド部から前記第１の入力インターフェースに受信した前記第１の命令は前記ＳＩＭの前記第１の認証アプリケーションに、前記無線ベースバンド部から前記第２の入力インターフェースに受信した前記第２の命令は前記ＳＩＭの前記第２の認証アプリケーションに、それぞれルーティングする制御部（１０４）と、
を有する通信端末装置。
【請求項７】
第１の認証アプリケーション及び第２の認証アプリケーションを格納している一つのＳＩＭ（Subscriber Identity Module）にアクセスするためのＳＩＭルータ装置で実行されるＳＩＭルーティング方法であって、
前記ＳＩＭルータ装置は、無線通信を行う無線ベースバンド部と接続された第１の入力インターフェース及び第２の入力インターフェースとを有し、
前記ＳＩＭから前記第１の認証アプリケーション及び前記第２の認証アプリケーションが挙げられている認証アプリケーションリストを取得し（Ｓ２０２）、前記第１の入力インターフェースと前記第１の認証アプリケーション、及び前記第２の入力インターフェースと前記第２の認証アプリケーション、とを対応付けたマッピング情報を記憶する（Ｓ２０３）マッピングステップと、
前記マッピング情報に基づき（Ｓ３０１）、前記無線ベースバンド部から前記第１の入力インターフェースに受信した第１の命令は前記ＳＩＭの前記第１の認証アプリケーションに、前記無線ベースバンド部から前記第２の入力インターフェースに受信した第２の命令は前記ＳＩＭの前記第２の認証アプリケーションに、それぞれルーティングする（Ｓ３０２）ルーティングステップと、
を有するＳＩＭルーティング方法。
【請求項８】
第１の認証アプリケーションをＳＩＭ（Subscriber Identity Module）に書き込むステップと、
第２の認証アプリケーションを前記ＳＩＭに書き込むステップと、
前記第１の認証アプリケーション及び前記第２の認証アプリケーションが挙げられている認証アプリケーションリストを前記ＳＩＭに書き込むステップと、
を有するＳＩＭの製造方法。
【請求項９】
第１の認証アプリケーションが書き込まれているＳＩＭ（Subscriber Identity Module）に、第２の認証アプリケーションを書き込むステップと、
前記第１の認証アプリケーション及び前記第２の認証アプリケーションが挙げられている認証アプリケーションリストを前記ＳＩＭに書き込むステップと、
を有するＳＩＭの製造方法。
【発明の詳細な説明】
【技術分野】
【０００１】
本発明は、通信回線の加入者を特定するために用いられるＳＩＭ（Subscriber Identity Module）を用いて複数回線を同時に使用するためのＳＩＭルータ装置、及び当該ＳＩＭルータ装置を搭載した通信端末装置に関するものである。
【背景技術】
【０００２】
スマートフォンや携帯電話などの通信端末装置で通信回線を利用するにあたり、通信事業者から加入者情報を特定するための情報が記録されたＳＩＭカードが発行される。そして、ＳＩＭカードを通信端末装置に挿入して用いることにより、通信回線を契約した加入者として通信回線を利用することが可能となる。一つの通信端末装置には原則一つのＳＩＭカードを挿入することができるので、１つの通信端末装置は原則一つの通信事業者が提供する通信回線を利用することができる。
【０００３】
近年、１つの通信端末装置に複数のＳＩＭカードを挿入して、１つの通信端末装置で任意にネットワークを切り替えることで複数の通信回線を利用できる通信端末装置が現れてきている。この場合、ベースバンドプロセッサにはモデム等のベースバンド機能に加え、ＳＩＭカードの枚数分のＳＩＭコントローラが設けられている。複数のＳＩＭカードを運用する技術としては、ＳＩＭカードは２枚だが同時に１枚分しか待ち受け出来ないＤＳＳＳ（Dual SIM Single Stand-by）、ＳＩＭカードは２枚で同時に２枚分の待ち受けができるが通信はどちらか片方でしかできないＤＳＤＳ（Dual SIM Dual Stand-by）、ＳＩＭカードは２枚で待ち受けも通信も同時にできるＤＳＤＡ（Dual SIM Dual Acive）が存在する。
【先行技術文献】
【特許文献】
【０００４】
【特許文献１】米国特許出願公開  ２０１６−００２９２２２号公報
【特許文献２】米国特許出願公開  ２０１６−０２１９４２１号公報
【特許文献３】米国特許出願公開  ２０１０−０２７９６９８号公報
【特許文献４】米国特許８８１１９６９号公報
【発明の概要】
【発明が解決しようとする課題】
【０００５】
特許文献１には、複数のＳＩＭカードを用いて音声通信とデータ通信を同時に行うことが開示されている。
特許文献２および３には、複数のＳＩＭを用いた待ち受け方法が開示されている。
特許文献４には、ＳＩＭをソフトウェア化したバーチャルＳＩＭとして通信端末にダウンロードすることが開示されている。
しかし、いずれの文献にも、１つのＳＩＭカード又はバーチャルＳＩＭで複数の回線の情報を有することを前提として、このＳＩＭカードを用いてどのように通信端末装置で複数回線を同時に運用可能とするかについては開示されていない。
【０００６】
本発明の目的は、１つのＳＩＭに複数の回線情報を有するＳＩＭを用いるＳＩＭルータ装置及びこれを搭載した通信端末装置を実現することにある。
【課題を解決するための手段】
【０００７】
上記課題を解決するために、本発明のＳＩＭルータ装置（１００）は、
第１の認証アプリケーション（１５１）及び第２の認証アプリケーション（１５２）を格納している一つのＳＩＭ（Subscriber Identity Module）（１５０）にアクセスするためのＳＩＭルータ装置（１００）であって、
無線通信を行う無線ベースバンド部（１２）と接続された第１の入力インターフェース（１０１）及び第２の入力インターフェース（１０２）と、
前記ＳＩＭから前記第１の認証アプリケーション及び前記第２の認証アプリケーションが挙げられている認証アプリケーションリスト（１５３）を取得し、前記第１の入力インターフェースと前記第１の認証アプリケーション、及び前記第２の入力インターフェースと前記第２の認証アプリケーション、とを対応付けたマッピング情報を記憶するマッピング情報記憶部（１０３）と、
前記マッピング情報に基づき、前記無線ベースバンド部から前記第１の入力インターフェースに受信した第１の命令は前記ＳＩＭの前記第１の認証アプリケーションに、前記無線ベースバンド部から前記第２の入力インターフェースに受信した第２の命令は前記ＳＩＭの前記第２の認証アプリケーションに、それぞれルーティングする制御部（１０４）と、
を備える。
【０００８】
なお、特許請求の範囲、及び課題を解決するための手段の項に記載した発明の構成要件に付した括弧内の番号は、本発明と後述の実施形態との対応関係を示すものであり、本発明を限定する趣旨ではない。
【発明の効果】
【０００９】
本発明のＳＩＭルータ装置、及び通信端末装置によれば、１つのＳＩＭに複数の回線情報を有するＳＩＭを用いて複数回線を同時に運用することができる。そして、これにより、ＳＩＭの発行枚数や発行機会を少なくすることができ、ＳＩＭ発行のための時間及びコスト、及びＳＩＭの管理にかかる時間及びコストを下げることができる。
【図面の簡単な説明】
【００１０】
【図１】本発明の実施形態のＳＩＭルータ装置及び通信端末装置の構成を説明するブロック図
【図２】本発明の実施形態のＳＩＭの構成を説明するブロック図
【図３】本発明の実施形態のＳＩＭルータ装置及びＳＩＭの起動動作を示すフローチャート
【図４】本発明の実施形態のＳＩＭルータ装置のマッピング動作を示すフローチャート
【図５】本発明の実施形態のＳＩＭルータ装置に記憶されるマッピング情報の構成を示すテーブル
【図６】本発明の実施形態のＳＩＭルータ装置のルーティング動作を示すフローチャート
【図７】本発明の実施形態のＳＩＭが半二重通信インターフェースを用いる場合におけるＳＩＭルータ装置のルーティング動作を示す説明図
【図８】本発明の実施形態のＳＩＭルータ装置のパッケージの形態を示すブロック図
【発明を実施するための形態】
【００１１】
以下、本発明の実施形態について、図面を参照して説明する。
なお、本発明とは、特許請求の範囲又は課題を解決するための手段の項に記載された発明を意味するものであり、以下の実施形態に限定されるものではない。また、少なくともかぎ括弧内の語句は、特許請求の範囲又は課題を解決するための手段の項に記載された語句を意味し、同じく以下の実施形態に限定されるものではない。
特許請求の範囲の従属項に記載の構成及び方法、従属項に記載の構成及び方法に対応する実施形態の構成及び方法、並びに特許請求の範囲に記載がなく実施形態のみに記載の構成及び方法は、本発明においては任意の構成及び方法である。特許請求の範囲の記載が実施形態の記載よりも広い場合における実施形態に記載の構成及び方法も、本発明の構成及び方法の例示であるという意味で、本発明においては任意の構成及び方法である。いずれの場合も、特許請求の範囲の独立項に記載することで、本発明の必須の構成及び方法となる。
実施形態に記載した効果は、本発明の例示としての実施形態の構成を有する場合の効果であり、必ずしも本発明が有する効果ではない。
複数の実施形態がある場合、各実施形態に開示の構成は各実施形態のみで閉じるものではなく、実施形態をまたいで組み合わせることが可能である。例えば一の実施形態に開示の構成を、他の実施形態に組み合わせても良い。また、複数の実施形態それぞれに開示の構成を集めて組み合わせても良い。
発明が解決しようとする課題に記載した課題は公知の課題ではなく、本発明者が独自に知見したものであり、本発明の構成及び方法と共に発明の進歩性を肯定する事実である。
【００１２】
（実施形態）
１．ＳＩＭルータ装置１００、通信端末装置１０、ＳＩＭ１５０の構成
図１は、ＳＩＭルータ装置１００、及びこれを含む通信端末装置１０の構成を示している。
通信端末装置１０は、アンテナ１１、無線ベースバンド部１２、ＳＩＭルータ装置１００、及びＳＩＭコントローラ１３を備える。また、通信端末装置１０は、ＳＩＭコントローラ１３を介してＳＩＭ１５０に「アクセス」する。なお、通信端末装置１０は、ＳＩＭ１５０と接続されることにより、通信端末装置として動作する。
通信端末装置１０は、携帯電話、スマートフォン、タブレットなどの携帯情報端末装置の他、パーソナルコンピュータ、カーナビゲーションシステム、車両用電子制御装置など、通信回線と接続して用いられる機器を包含するものである。
ここで、本発明の「アクセス」とは、ＳＩＭに直接アクセスする場合の他、ＳＩＭコントローラ等を介して間接的にアクセスする場合も含む。
【００１３】
アンテナ１１は、高周波信号を送受信する。アンテナの形態は任意である。
【００１４】
無線ベースバンド部１２は、アンテナ１１で受信した高周波信号をベースバンド信号に変換するとともに、図示しないアプリケーションプロセッサが解読可能な命令（コマンド）に変換する。そして、命令はアプリケーションプロセッサに送信されるほか、必要に応じてＳＩＭルータ装置１００に送信される。また、無線ベースバンド部１２は、アプリケーションプロセッサやＳＩＭルータ装置１００から受信した命令をベースバンド信号に変換し、さらに高周波信号に変換して、アンテナ１１に送信する。無線ベースバンド部１２は、例えばモデムを含む。
【００１５】
ＳＩＭルータ装置１００の詳細な構成は後述する。
【００１６】
ＳＩＭコントローラ１３は、ＳＩＭルータ装置１００から受信した命令に基づき、適切なアナログ信号に変換してＳＩＭ１５０に送信する。また、ＳＩＭコントローラ１３は、ＳＩＭ１５０から受信した命令をデジタル信号に変換してＳＩＭルータ装置１００に送信する。
【００１７】
次にＳＩＭ１５０の構成を説明する。
ＳＩＭ１５０は、ハードウェアとしては、ＣＰＵ、ＲＡＭ、ＲＯＭなどが組み込まれたＩＣチップを有している。
図２は、ＳＩＭ１５０の構成を示している。
ＳＩＭ１５０（本発明の「ＳＩＭ」に相当）は、第１の認証アプリケーション１５１、第２の認証アプリケーション１５２、及び認証アプリケーションリスト１５３を格納している。なお、認証アプリケーションの数は、２以上であればよい。このように、１つのＳＩＭに複数の認証アプリケーションを格納して複数のＳＩＭの機能を発揮する状態を、ＳＩＭが論理的にマルチ化されていると表現するものとする。
ここで、本発明の「ＳＩＭ」とは、ＳＩＭカードに代表されるような物理的に通信装置から切り離すことが可能なＳＩＭの他、通信端末装置に設けられているメモリ等に展開されているような物理的に通信装置から切り離すことができない論理的なＳＩＭ（ｅＳＩＭ）も含まれる。
【００１８】
第１の認証アプリケーション（ＵＳＩＭ１）１５１（本発明の「第１の認証アプリケーション」に相当）は、第１の通信回線の加入者を特定するための情報であり、例えば第１の通信回線への加入を一意に識別する携帯電話番号情報（ＭＳＩＳＤＮ）、ユーザに割り当てられる識別番号（ＩＭＳＩ）、認証鍵（ＫＩ）等を含む。第１の認証アプリケーションは、例えば通信事業者が発行する。
第１の認証アプリケーション１５１には、ネットワークに対してＩＭＳＩを識別子として通信回線を識別させる機能、ネットワーク側と事前に共有した鍵を用いた認証を行う機能、無線区間の秘匿性及び完全性に用いられる鍵を導出する機能、等がある。
ここで、本発明の「認証アプリケーション」とは、加入者を特定し認証に供される情報を含んでいれば足り、それ自体で実行可能か否かは問わない。
【００１９】
第２の認証アプリケーション（ＵＳＩＭ２）１５２（本発明の「第２の認証アプリケーション」に相当）は、第２の通信回線の加入者を特定するための情報であり、第１の認証アプリケーション１５１と同様の情報を含む。
【００２０】
認証アプリケーションリスト１５３は、第１の認証アプリケーション１５１及び第２の認証アプリケーション１５２がリストアップ、すなわち挙げられている。具体的には、第１の認証アプリケーション（ＵＳＩＭ１）と第１のアプリケーションＩＤ（ＡＩＤ  ＸＸＸＸＸ）、第２の認証アプリケーション（ＵＳＩＭ２）と第２のアプリケーションＩＤ（ＡＩＤ  ＹＹＹＹＹ）とが対応付けられたテーブルとしてＳＩＭ１５０のＥＦ ＤＩＲ（Elementary File DIRectory）に格納されている。すなわち、ＥＦ ＤＩＲには、認証アプリケーションＩＤであるＡＩＤのリストが格納されていると言える。さらに、認証アプリケーションリスト１５３には、認証アプリケーションの名称を対応付けて格納してもよい。
【００２１】
さらに、図１に戻り、ＳＩＭルータ装置１００の構成を説明する。
ＳＩＭルータ装置１００は、第１の入力インターフェース１０１、第２の入力インターフェース１０２、マッピング情報記憶部１０３、制御部１０４、出力インターフェース１０５を備える。
ＳＩＭルータ装置１００は、半導体チップや半導体モジュールで構成されることを想定しているが、その形態は問わない。携帯電話などの携帯情報端末装置も、「通信端末装置」としてはもちろん、ＳＩＭルータ装置１００の機能を含んでいるのであれば、「ＳＩＭルータ装置」と読み替えることができる。
【００２２】
第１の入力インターフェース（ＳＩＭ１）１０１（本発明の「第１の入力インターフェース」に相当）は、無線通信を行う無線ベースバンド部１２と「接続され」、無線ベースバンド部１２から第１の命令を受信する。
なお、第１の入力インターフェース１０１には、複数の入力論理チャネルを設けることができる。
ここで、本発明の「入力インターフェース」とは、物理的なインターフェースの他、論理的なインターフェースである論理チャネルも含む。論理的なインターフェースが複数ある場合は、論理的にマルチ化されていると表現するものとする。
また、本発明の「接続され」とは、無線ベースバンド部がＳＩＭルータ装置と物理的に異なるチップに実装されている場合はチップ間で接続されていることはもちろん、無線ベースバンド部がＳＩＭルータ装置と物理的に同一のチップに実装されている場合はチップ内で接続されていることも含まれる。
【００２３】
第２の入力インターフェース（ＳＩＭ２）１０２（本発明の「第２の入力インターフェース」に相当）は、無線通信を行う無線ベースバンド部１２と「接続され」、無線ベースバンド部１２から第２の命令を受信する。第２の入力インターフェース１０２にも、複数の入力論理チャネルを設けることができる。
なお、入力インターフェースの数は、認証アプリケーションの数に応じて設けることができ、２つに限らない。
【００２４】
マッピング情報記憶部１０３は、ＳＩＭ１５０から認証アプリケーションリスト１５３を取得し、第１の入力インターフェース１０１（ＳＩＭ１）と第１の認証アプリケーション又は第１の認証アプリケーションに付与されたアプリケーションＩＤ（ＡＩＤ  ＸＸＸＸＸ）、及び第２の入力インターフェース１０２（ＳＩＭ２）と第２の認証アプリケーション又は第２の認証アプリケーションに付与されたアプリケーションＩＤ（ＡＩＤ  ＹＹＹＹＹ）、とを「対応付けた」マッピング情報を記憶する。
ここで、本発明の「対応付けた」とは、入力インターフェースと認証アプリケーションとが直接対応付けられている場合の他、識別子等他の情報を介して間接的に対応付けられている場合も含む。
【００２５】
制御部１０４は、マッピング情報記憶部１０３に記憶したマッピング情報に基づき、無線ベースバンド部１２から第１の入力インターフェース１０１に受信した第１の命令はＳＩＭ１５３の第１の認証アプリケーション１５１に、無線ベースバンド部１２から第２の入力インターフェース１０２に受信した第２の命令はＳＩＭ１５３の第２の認証アプリケーション１５２に、それぞれ「ルーティング」する。
ここで、本発明の「ルーティング」とは、ＳＩＭに存在する認証アプリケーションに命令を直接引き渡す場合はもちろん、ＳＩＭコントローラ等の他の機能部を介して間接的に命令を引き渡す場合も含む。
【００２６】
出力インターフェース１０５は、制御部１０４から受信した第１の命令及び第２の命令を、ＳＩＭ１５０に送信する。出力インターフェース１０５には、複数の出力論理チャネルを設けることができる。
【００２７】
このように、本実施形態のＳＩＭルータ装置１００は、２つの入力インターフェースを備えるので、無線ベースバンド部１２の側からは２つのＳＩＭが存在すると認識させることができる。
また、本実施形態のＳＩＭルータ装置１００においては、無線ベースバンド部１２から送信された命令を複数ある認証アプリケーションのうち対応する認証アプリケーションにルーティングすることができる。
【００２８】
２．ＳＩＭルーティング方法
次にＳＩＭルータ装置１００の動作であるＳＩＭルーティング方法を説明する。ＳＩＭルーティング方法は、起動動作、マッピング動作、及びルーティング動作からなる。
【００２９】
（１）ＳＩＭルータ装置１００及びＳＩＭ１５０の起動動作
図３は、ＳＩＭルータ装置１００及びＳＩＭ１５０の起動方法を示している。
無線ベースバンド部１２は、ＳＩＭルータ装置１００の第１の入力インターフェース１０１及び第２の入力インターフェース１０２をＳＩＭとして認識している。そして、ＳＩＭルータ装置１００の第１の入力インターフェース１０１に対して起動（給電）動作が行われる（Ｓ１０１）。なお、いずれの入力インターフェースも起動していない状態からいずれかの入力インターフェースが起動（給電）されたら、ＳＩＭルータ装置１００はＡＴＲ（Answer to Reset）の第１バイト部分を無線ベースバンド部１２に送信してもよい。
【００３０】
ＳＩＭルータ装置１００は、ＳＩＭコントローラ１３を通じてＳＩＭ１５０を活性化する（Ｓ１０２）。
【００３１】
ＳＩＭ１５０から返ってきたＡＴＲ（Answer to Reset）を保存し、無線ベースバンド部１２に送信する（Ｓ１０３）。なお、Ｓ１０１の後にＡＴＲの第１バイト部分を無線ベースバンド部１２に既に送信している場合は、残りのバイトのみを送信する。
【００３２】
ＳＩＭルータ装置１００の第２の入力インターフェース１０２に対して起動（給電）動作が行われる（Ｓ１０４）。この場合、Ｓ１０１で既に第１の入力インターフェース１０１を通じてＳＩＭルータ装置１００自体及びＳＩＭ１５０は起動済みであるから、改めてＳＩＭ１５０の活性化は行わない。そして、保存しておいたＡＴＲをそのまま無線ベースバンド部１２に送信する（Ｓ１０５）。
【００３３】
（２）ＳＩＭルータ装置１００におけるマッピング動作
図４は、ＳＩＭルータ装置１００におけるマッピング動作を示している。
図５は、マッピング情報記憶部１０３に記憶されるマッピング情報の構成を示している。
ＳＩＭルータ装置１００は、出力インターフェース１０５を介して、ＳＩＭ１５０に対し、ＥＦ ＤＩＲに格納されている認証アプリケーションリスト１５３を読み出す読出命令を送信する（Ｓ２０１）。
【００３４】
ＳＩＭ１５０から送信された認証アプリケーションリスト１５３を出力インターフェース１０５を介して受信する（Ｓ２０２）。認証アプリケーションリスト１５３は、第１の認証アプリケーション（ＵＳＩＭ１）と第１のアプリケーションＩＤ（ＡＩＤ  ＸＸＸＸＸ）、第２の認証アプリケーション（ＵＳＩＭ２）と第２のアプリケーションＩＤ（ＡＩＤ  ＹＹＹＹＹ）とを対応付けた情報である。
【００３５】
受信した認証アプリケーションリスト１５３に基づき、認証アプリケーションを入力インターフェースに割り振る。具体的には、第１の入力インターフェース１０１（ＳＩＭ１）を第１の認証アプリケーションに、第２の入力インターフェース１０２（ＳＩＭ２）を第２の認証アプリケーションに対応付けたマッピング情報を生成し、マッピング情報記憶部１０３に記憶する（Ｓ２０３）。
【００３６】
図５は、マッピング情報の構成を示すテーブルである。
マッピング情報１５３は、入力インターフェースと認証アプリケーションを特定する認証アプリケーションＩＤとが対応づけられている。
さらに、図５のように、入力インターフェースの入力論理チャネル、出力インターフェースの出力論理チャネル、ＥＦ ＤＩＲ選択状態フラグが対応付けられていてもよい。
入力論理チャネルは第１の入力インターフェース１０１及び第２の入力インターフェース１０２で用いられる論理チャネルであり、それぞれの入力インターフェースにおいてデフォルトの論理チャネル０が設定されている。
出力論理チャネルは出力インターフェース１０５で用いられる論理チャネルであり、第１の入力インターフェース１０１の入力論理チャネル０に対応する出力論理チャネルにはデフォルトの０が設定されている。また、第２の入力インターフェース１０２の入力論理チャネル０に対応する出力論理チャネルには、ＳＩＭ１５０に対して論理チャネルを開設する命令を送信し、返ってきた開設論理チャネル番号（本実施形態の場合は１）である１が設定されている。
この例の場合、出力側は論理的にマルチ化されているが、入力側は論理的にマルチ化されていない。これに代えて、入力側も論理的にマルチ化されるようにしてもよい。
ＥＦ ＤＩＲ選択状態フラグは、当該入力インターフェース上でＥＦ ＤＩＲが選択されていること識別するフラグである。例えば、何れかの入力インタフェース上でＥＦ ＤＩＲ選択コマンドを受信した場合、当該入力インターフェースと入力論理チャネルの組み合わせに相当するＥＦ ＤＩＲ選択状態フラグをＯＮにする。そして、これとは異なる新たな入力インターフェースでＤＲ ＤＩＲ選択コマンドを受信した場合には、新たな入力インターフェースと入力論理チャネルの組み合わせに相当するＥＦ ＤＩＲ選択状態フラグをＯＮにする。これにより、ＳＩＭルータ装置１００側で、必要な認証アプリケーションに対応する情報のみを無線ベースバンド部１２に送信することができる。
【００３７】
以上のマッピング動作は、ＳＩＭ１５０を挿入後初めてＳＩＭルータ装置１００を起動した場合に実行されるが、それ以降の起動時にはマッピング情報保存部１０３に保存されているマッピング情報との比較を行い、保存されているマッピング情報と同じときは上書きする必要はなく、マッピング情報保存部１０３に保存されているマッピング情報を用いる。
【００３８】
（３）ＳＩＭルータ装置におけるルーティング動作
図６は、ＳＩＭルータ装置１００におけるルーティング動作を示している。
ＳＩＭルータ装置１００の制御部１０４は、マッピング情報記憶部１０３からマッピング情報を読み出す（Ｓ３０１）。
【００３９】
読み出したマッピング情報に基づき、無線ベースバンド部１２から第１の入力インターフェース１０１に受信した第１の命令はＳＩＭ１５０の第１の認証アプリケーション１５１に、無線ベースバンド部１２から第２の入力インターフェース１０２に受信した第２の命令はＳＩＭ１５０の第２の認証アプリケーション１５２に、それぞれルーティングする（Ｓ３０２）。具体的には、無線ベースバンド部１２から入力インターフェースに命令を受信したとき、マッピング情報に従って対応する出力論理チャネルにそのまま命令を転送し、ＳＩＭ１５０から返ってきた応答をマッピング情報に従って対応する入力インターフェースの論理チャネルにそのまま転送する。
ただし、入力インターフェースと入力論理チャネルの組み合わせにおけるＥＦ ＤＩＲ選択状態フラグがＯＮの場合で、かつ、ＥＦ ＤＩＲ読み込みコマンドを受信した場合は、ＳＩＭ１５０にはルーティングせず、マッピング情報記憶部１０３から当該入力インターフェースに対応したレコードのみを返送する。
【００４０】
（４）半二重通信の場合のルーティング動作
なお、従来のＳＩＭの外部インターフェースはＩＳＯ７８１６で規定されている半二重通信インターフェースである。半二重通信インターフェースは、同時に複数の送信はできない、送信と受信は同時にできない、１つの命令に対するレスポンスが返るまでは次の命令は送れない、という制約がある。そこで、本発明のＳＩＭ１５０がこの半二重通信インターフェースを用いる場合はＦＩＦＯに類した処理を行う必要がある。つまり、制御部１０３は、第１の命令をＳＩＭ１５０の第１の認証アプリケーション１５１にルーティングした場合、第１の命令に対する応答をＳＩＭから受信した「後に」、第２の命令を前記ＳＩＭの第２の認証アプリケーション１５２にルーティングする。
ここで、本発明の「後に」とは、第１の命令に対する応答を受信した後であれば足り、必ずしも直後とは限らない。例えば第２の命令をルーティングする前に無線ベースバンド部との通信等を挟んでもよい。
【００４１】
図７は、ＳＩＭ１５０が半二重通信インターフェースを用いる場合におけるルーティング動作を示す図である。
ベースバンド部１２は、第１の命令をＳＩＭルータ装置１００の第１の入力インターフェース１０１に送信する（Ｓ３１１）。ＳＩＭルータ装置１００の制御部１０４は、図示しない出力インターフェース１０５を通じて第１の命令をＳＩＭ１５０に送信する（Ｓ３１２）。
【００４２】
ベースバンド部１２は、第２の命令をＳＩＭルータ装置１００の第２の入力インターフェース１０２に送信する（Ｓ３１３）。制御部１０４は、第１の命令に対する第１の応答をＳＩＭ１５０から受信するまで、第２の命令の処理を保留する（Ｓ３１４）。
【００４３】
ＳＩＭ１５０から第１の命令に対する第１の応答を図示しない出力インターフェース１０５で受信する（Ｓ３１５）。制御部１０４は、第１の入力インターフェースを通じて第１の応答を無線ベースバンド装置１２に送信する（Ｓ３１６）。
【００４４】
制御部１０４は、保留中の第２の命令の処理の保留を解除し、図示しない出力インターフェース１０５を通じて第２の命令をＳＩＭ１５０に送信する（Ｓ３１７）。
【００４５】
ＳＩＭ１５０から第２の命令に対する第２の応答を図示しない出力インターフェース１０５で受信する（Ｓ３１８）。制御部１０４は、第２の入力インターフェースを通じて第２の応答を無線ベースバンド装置１２に送信する（Ｓ３１９）。
【００４６】
本実施形態のＳＩＭルーティング方法によれば、１つのＳＩＭで複数の認証アプリケーションを有するＳＩＭを用いて、待受け及び通信を同時に実行することができる。
また、半二重通信インターフェースを用いたＳＩＭであっても、誤動作することなくＳＩＭの複数の認証アプリケーションにアクセスすることができる。
【００４７】
３．ＳＩＭの製造方法
上述の通り、本実施形態のＳＩＭ１５０は、図２の通り、第１の認証アプリケーション１５１、第２の認証アプリケーション１５２、及び認証アプリケーションリスト１５３を格納している。本項では、かかるＳＩＭ１５０を生成する方法、すなわち本実施形態のＳＩＭの製造方法を説明する。
【００４８】
（１）新規に生成する場合
まだ何も記録していないＳＩＭから新規に本実施形態のＳＩＭを生成する方法を説明する。
【００４９】
まず、第１の認証アプリケーションをＳＩＭ１５０に「書き込む」。
次に、第２の認証アプリケーションをＳＩＭ１５０に「書き込む」。
そして、第１の認証アプリケーション１５１及び第２の認証アプリケーション１５２が挙げられている認証アプリケーションリスト１５３を生成し、ＳＩＭ１５０に「書き込む」。具体的には、第１の認証アプリケーション１５１及び第２の認証アプリケーション１５２に対し、それぞれ第１の認証アプリケーション１５１の第１のアプリケーションＩＤ（ＡＩＤ  ＸＸＸＸＸ）及び第２の認証アプリケーション１５２の第２のアプリケーションＩＤ（ＡＩＤ  ＹＹＹＹＹ）とを対応付け、認証アプリケーションリスト１５３としてＳＩＭ１５０のＥＦ ＤＩＲに「書き込む」。
ここで、本発明の「書き込む」とは、ＳＩＭに対して情報を記録することができればよく、ＳＩＭに近接した装置で書き込む場合の他、ＳＩＭに対して遠隔地からの指示で書き込んでもよい。例えば、サーバ装置からの指示でＳＩＭに情報を記録するような場合がある。
【００５０】
本実施形態のＳＩＭの製造方法によれば、１つのＳＩＭで複数の認証アプリケーションを有するＳＩＭを実現することができる。
【００５１】
（２）既存のＳＩＭに追記して生成する場合
既存のＳＩＭ、すなわち認証アプリケーションが一つ格納されているＳＩＭに対し、さらに別の認証アプリケーションを追記することにより本実施形態のＳＩＭを生成する方法を説明する。
【００５２】
まず、第１の認証アプリケーション１５１が書き込まれているＳＩＭ１５０に、第２の認証アプリケーション１５２を「書き込む」。
そして、第１の認証アプリケーション１５１及び第２の認証アプリケーション１５２が挙げられている認証アプリケーションリスト１５３を生成し、ＳＩＭ１５０に「書き込む」。具体的には、第１の認証アプリケーション１５１及び第２の認証アプリケーション１５２に対し、それぞれ第１の認証アプリケーション１５１の第１のアプリケーションＩＤ（ＡＩＤ  ＸＸＸＸＸ）、及び第２の認証アプリケーション１５２の第２のアプリケーションＩＤ（ＡＩＤ  ＹＹＹＹＹ）とを対応付け、認証アプリケーションリスト１５３としてＳＩＭ１５０のＥＦ ＤＩＲに「書き込む」。
なお、第１の認証アプリケーション１５１のみが格納されている時点でＥＦ ＤＩＲが生成されている場合は、このＥＦ ＤＩＲに対して第２の認証アプリケーション１５２と第２のアプリケーションＩＤとを対応付けて追記すればよい。すなわち、第１の認証アプリケーション１５１と第１のアプリケーションＩＤとを対応付けて認証アプリケーションリスト１５３として書き込む時と、第２の認証アプリケーション１５２と第２のアプリケーションＩＤとを対応付けて認証アプリケーションリスト１５３として書き込む時とは、必ずしも同時でなくてもよく、両者を合わせて一つの書き込みステップと把握できる。
また、これに加えて、第１の認証アプリケーション１５１や第２の認証アプリケーション１５２の配下にない情報、例えばＳＩＭ１５０に割り振られた固有識別番号（ＩＣＣＩＤ）等は、既存のＳＩＭに当初書き込まれていた情報か追記される情報の何れかのみを用いるというマージ処理を行うことが望ましい。
【００５３】
本実施形態のＳＩＭの製造方法によれば、既存のＳＩＭに対しても、別の認証アプリケーションを追記することにより、１つのＳＩＭで複数の認証アプリケーションを有するＳＩＭを実現することができる。
【００５４】
（３）小括
上記（１）（２）のいずれの場合も、ＳＩＭに対して情報を書き込む書き込み装置を用いて実現することができる。例えば、ＳＩＭカードのような物理的に通信端末装置から切り離すことが可能な形態のＳＩＭに対しては、ＩＣカード書き込み装置にＳＩＭカードを挿入して必要な情報を書き込むことができる。また、論理ＳＩＭのような通信端末装置のメモリで実現する形態のＳＩＭに対しては、通信端末装置に備えられたインターフェースを通じて必要な情報を書き込むことができる。さらに、いずれの形態のＳＩＭにおいても、また（１）（２）のいずれの場合においても、サーバから無線又は有線を通じて必要な情報を書き込むことができる。
なお、ＳＩＭカードについては、それ自体にＣＰＵやメモリを備えることができるので、（１）（２）のいずれの場合においても、認証アプリケーションが書き込まれた後、自分自身で認証アプリケーションリストを生成し、ＥＦ ＤＩＲに書き込んでもよい。論理ＳＩＭについては、認証アプリケーションが書き込まれた後に、通信端末装置のＣＰＵを用いて認証アプリケーションリストを生成し、ＥＦ ＤＩＲに書き込んでもよい。
【００５５】
４．ＳＩＭルータ装置のパッケージの形態
図８は、ＳＩＭルータ装置１００のパッケージの形態を示す図である。
本実施形態のＳＩＭルータ装置１００は、図１のブロックを一つのハードウェアと見立てた場合のように、それ自身１つの半導体パッケージで構成して無線ベースバンド部１２やＳＩＭコントローラ１３と外部で接続されてもよいが、図８のように構成してもよい。図８のいずれの場合もＳＩＭ１５０は論理的にマルチ化されている。
【００５６】
（１）ベースバンドプロセッサと分離する構成（図８（ａ））
ベースバンド部１２を有するベースバンドプロセッサと分離して、ＳＩＭルータ装置１００及びＳＩＭコントローラ１３を一つの半導体パッケージである中間チップとして構成する例である。
この例の場合、ベースバンドプロセッサがＤＳＤＡ等をサポートしていれば、ベースバンドプロセッサには従来技術で説明した既存のベースバンドプロセッサを用いることができ、新たに中間チップのみを搭載するだけで本実施形態の通信端末装置を実現することができる。
【００５７】
（２）ベースバンドプロセッサと一体とする構成（図８（ｂ））
ベースバンド部１２、ＳＩＭルータ装置１００、ＳＩＭコントローラ１３を一つの半導体パッケージとして構成する例である。この例では、無線ベースバンド部１２とＳＩＭルータ装置１００とは一つのインターフェースで接続されているが、論理チャネルを用いることにより論理的にマルチ化されている。もちろん、物理的に２つのインターフェースで接続してもよい。
この例の場合、１つの半導体パッケージで実現することができる。
【００５８】
（３）ＳＩＭも含めて一体とする構成（図８（ｃ））
上記（２）に加え、さらにＳＩＭ１５０も論理ＳＩＭとして一つの半導体パッケージとして構成する例である。
この例の場合、ＳＩＭ１５０も含めて１つの半導体パッケージで実現することができる。
【００５９】
５．その他
本実施形態の通信端末装置は、複数の通信回線と接続するいかなる通信端末装置にも用いることができその目的は問わないが、車両用の通信端末装置（車両用電子制御装置を含む）に用いる場合は以下のような構成とすることができる。なお、車両用とは、自動車の他、二輪車も含む。また、車両用とは、常時車両に搭載する車載用の他、常時搭載しない又は車両には搭載しないが車両を制御の対象とするものも含む。
【００６０】
車両における通信としては、次の２つの用途が考えらえる。
一つは、例えば自動車メーカーが主導して行う案内や救助のサービスに用いる場合である。これらのサービスは緊急時に用いられることが多いという特質上、通信品質が保証された回線であることが望ましい。
あるいは、路車間通信や車車間通信のように、安全運行や自動走行に用いられる場合である。これらの用途においても、即時の判断や情報交換が求められるという特質上、通信品質が保証された回線であることが望ましい。
【００６１】
もう一つは、カーナビゲーションシステムや車載ＴＶ等の機能として、インターネットを介して各種サイトへ接続して音楽や画像などの情報を取得する場合である。これらの用途では、特に緊急性を要しない場合が多いので、大容量・低価格であることが重視され、品質保証については優先度は高くない。
【００６２】
このように、車両用の通信端末装置としては、通信品質が異なる二つの回線を用いることで、自動車の利用に伴う様々な情報を適切に異なる回線に振り分けて利用することができる。通信品質に代えて、容量や価格の異なる回線を用いてもよい。
【００６３】
（総括）
以上、本発明の実施形態における各装置及び方法の特徴について説明した。
【００６４】
上記実施形態で使用した用語は例示であるので、同義の用語、あるいは同義の機能を含む用語に置き換えてもよい。
【００６５】
実施形態の説明に用いたブロック図は、各装置の構成を機能毎に分類及び整理したものである。これらの機能ブロックは、ハードウェア又はソフトウェアの任意の組み合わせで実現される。また、機能を示したものであることから、かかるブロック図は方法の発明の開示としても把握できるものである。
【００６６】
各実施形態等に記載した処理、フロー、及び方法として把握できる機能ブロック、については、一のステップで他のステップの結果を利用する関係にある等の制約がない限り、順序を入れ替えても良い。
【００６７】
各実施形態等、及び本発明で使用する「第１」「第２」の用語は、同種の２以上の構成や方法を区別するために使用しており、順序や優劣を限定するものではない。また、必ずしも異なるものを指すとは限らず、結果的に同じものを指す場合もある。
【００６８】
本発明は、各実施形態等で説明した構成及び機能を有する専用のハードウェアで実現できるだけでなく、メモリやハードディスク等の記憶媒体に記憶した本発明を実現するためのプログラム、及びこれを実行可能な専用又は汎用ＣＰＵ及びメモリ等を有する汎用のハードウェアとの組み合わせとしても実現できる。
【００６９】
専用や汎用のハードウェアの記憶媒体（外部記憶装置（ハードディスク、ＵＳＢメモリ、ＣＤ／ＢＤ等）、内部記憶装置（ＲＡＭ、ＲＯＭ等））に格納されるプログラムは、記憶媒体を介して、あるいは記憶媒体を介さずにサーバから通信回線を経由して、専用又は汎用のハードウェアに提供することもできる。これにより、プログラムのアップグレードを通じて常に最新の機能を提供することができる。
【産業上の利用可能性】
【００７０】
本発明のＳＩＭルータ装置、及び通信端末装置は、複数の通信回線を利用するものであれば、その目的は問わない。例えば、車両用の電子制御装置はその一例である。また、その形態も問わない。形態情報端末装置、パーソナルコンピュータ、カーナビゲーションシステムなどの完成品、車両用電子制御装置や通信モジュールなどの半完成品、半導体チップや半導体モジュールなどの部品、がその一例である。
【符号の説明】
【００７１】
１０  通信端末装置、１２  無線ベースバンド部、１３  ＳＩＭコントローラ、１００  ＳＩＭルータ装置、１０１  第１の入力インターフェース、１０２  第２の入力インターフェース、１０３  マッピング情報記憶部、１０４  制御部、１０５  出力インターフェース、１５０  ＳＩＭ、１５１  第１の認証アプリケーション、１５２  第２の認証アプリケーション、１５３  認証アプリケーションリスト
【図１】
2020065147.tif 000003
【図２】
2020065147.tif 000004
【図３】
2020065147.tif 000005
【図４】
2020065147.tif 000006
【図５】
2020065147.tif 000007
【図６】
2020065147.tif 000008
【図７】
2020065147.tif 000009
【図８】
2020065147.tif 000010